【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
基地局（ＢＳ）によるワイヤレス通信のための方法であって、
位置決め基準信号（ＰＲＳ）を送信するための時間周波数リソースのセットを決定するために使用される少なくとも１つのパラメータをランダムに選択することと、
前記少なくとも１つのパラメータに少なくとも基づいて、前記時間周波数リソースのセットを決定することと、
前記決定された時間周波数リソースのセットにおいてＰＲＳを送信することと、
を備え、
前記少なくとも１つのパラメータは、シード値を用いて初期化された乱数生成器によって生成された値を使用してランダムに選択され、
前記ＰＲＳを送信する前に、ユーザ機器（ＵＥ）に前記シード値を提供することをさらに備える、方法。
【請求項２】
前記シード値は、支援データとともに前記ＵＥに提供され、前記支援データは、１つまたは複数の近隣基地局のリスト、および観測された到着時間差（ＯＴＤＯＡ）支援データを備える、
または、ＰＲＳを送信するための前記時間周波数リソースのセットは、サブフレーム毎またはＰＲＳ機会毎に、異なる時間周波数リソースを備える、請求項１に記載の方法。
【請求項３】
前記少なくとも１つのパラメータは、ビットのシーケンスを有するミュートパターンを備え、各ビットは、ＰＲＳが、対応するＰＲＳ機会において送られるかどうかを示し、
前記ミュートパターンの長さは、特に、前記ＢＳが、ＰＲＳを、ターゲット値のデューティサイクルで、一連のＰＲＳサブフレームによって送信するように選択される、
請求項１に記載の方法。
【請求項４】
ユーザ機器（ＵＥ）によるワイヤレス通信のための方法であって、
基地局（ＢＳ）からの位置決め基準信号（ＰＲＳ）のための測定のために、時間周波数リソースのセットを決定するために使用される少なくとも１つのパラメータをランダムに選択することと、
前記時間周波数リソースのセットにおいて前記ＰＲＳを測定することと、
を備える、方法。
【請求項５】
前記少なくとも１つのパラメータは、シード値を用いて初期化された乱数生成器によって生成された値を使用してランダムに選択される、請求項４に記載の方法。
【請求項６】
前記ＰＲＳを受信する前に、前記ＢＳから前記シード値を受信することをさらに備え、
前記シード値は、特に、支援データとともに受信され、前記支援データは、１つまたは複数の近隣基地局のリスト、および観測された到着時間差（ＯＴＤＯＡ）支援データを備える、請求項５に記載の方法。
【請求項７】
前記シード値は、前記ＢＳの物理セルＩＤ（ＰＣＩＤ）、システムフレーム番号、または日時のうちの少なくとも１つに基づく、請求項１または５に記載の方法。
【請求項８】
前記時間周波数リソースのセットは、１つまたは複数のＰＲＳサブフレームの少なくとも１つの直交周波数分割多重（ＯＦＤＭ）シンボル期間に、１つまたは複数の周波数トーンを備える、請求項１または４に記載の方法。
【請求項９】
前記少なくとも１つのパラメータは、ＰＲＳオフセットを備え、
周波数トーンは、各ＯＦＤＭシンボル期間における固定数の周波数トーンのストライドパターンと、前記ＰＲＳオフセットとに基づいて決定され、
前記ＰＲＳオフセットの前記値は、特に、前記ストライドパターンのサイズに対応する値のセットからランダムに選択される、
請求項１または４に記載の方法。
【請求項１０】
前記少なくとも１つのパラメータは、ビットのシーケンスを有するミュートパターンを備え、各ビットは、ＰＲＳが、対応するＰＲＳ機会において送られるかどうかを示す、
または、前記方法は、
１つまたは複数の他のＢＳからのＰＲＳから、前記測定されたＰＲＳの到着時間（ＴＯＡ）差を推定すること、
をさらに備える、
または、ＰＲＳを測定するための前記時間周波数リソースのセットは、サブフレーム毎またはＰＲＳ機会毎に、異なる時間周波数リソースを備える、
請求項４に記載の方法。
【請求項１１】
ワイヤレス通信のための装置であって、
位置決め基準信号（ＰＲＳ）を送信するための時間周波数リソースのセットを決定するために使用される少なくとも１つのパラメータをランダムに選択するための手段と、
前記少なくとも１つのパラメータに少なくとも基づいて、前記時間周波数リソースのセットを決定するための手段と、
前記決定された時間周波数リソースのセットにおいてＰＲＳを送信するための手段と、
を備え、
前記少なくとも１つのパラメータは、シード値を用いて初期化された乱数生成器によって生成された値を使用してランダムに選択され、
前記装置は、前記ＰＲＳを送信する前に、ユーザ機器（ＵＥ）に前記シード値を提供するための手段をさらに備える、装置。
【請求項１２】
ワイヤレス通信のための装置であって、
基地局（ＢＳ）からの位置決め基準信号（ＰＲＳ）のための測定のために、時間周波数リソースのセットを決定するために使用される少なくとも１つのパラメータをランダムに選択するための手段と、
前記時間周波数リソースのセットにおいてＰＲＳを測定するための手段と、
を備える、装置。
【請求項１３】
前記少なくとも１つのパラメータは、シード値を用いて初期化された乱数生成器によって生成された値を使用してランダムに選択される、請求項１２に記載の装置。
【請求項１４】
前記少なくとも１つのパラメータは、ＰＲＳオフセットを備え、
周波数トーンは、各ＯＦＤＭシンボル期間における固定数の周波数トーンのストライドパターンと、前記ＰＲＳオフセットとに基づいて決定される、
請求項１１または１２に記載の装置、
または、前記少なくとも１つのパラメータは、ビットのシーケンスを有するミュートパターンを備え、各ビットは、ＰＲＳが、対応するＰＲＳ機会において送られるかどうかを示す、請求項１１または１２に記載の装置。
【請求項１５】
請求項１乃至１０のいずれか１項に記載の方法を実行するための命令を備える、コンピュータプログラム。
【手続補正２】
【補正対象書類名】明細書
【補正対象項目名】００８５
【補正方法】変更
【補正の内容】
【００８５】
[0095]上述したものが、本開示の態様に向けられているが、本開示の他のおよびさらなる態様が、この基本的な範囲から逸脱することなく考案され得、この範囲は、以下に続く特許請求の範囲によって決定される。
以下に、本願出願の当初の特許請求の範囲に記載された発明を付記する。
［Ｃ１］
基地局（ＢＳ）によるワイヤレス通信のための方法であって、
位置決め基準信号（ＰＲＳ）を送信するための時間周波数リソースのセットを決定するために使用される少なくとも１つのパラメータをランダムに選択することと、
前記少なくとも１つのパラメータに少なくとも基づいて、前記時間周波数リソースのセットを決定することと、
前記決定された時間周波数リソースのセットにおいてＰＲＳを送信することと、
を備える、方法。
［Ｃ２］
前記少なくとも１つのパラメータは、シード値を用いて初期化された乱数生成器によって生成された値を使用してランダムに選択される、Ｃ１に記載の方法。
［Ｃ３］
前記ＰＲＳを送信する前に、ユーザ機器（ＵＥ）に前記シード値を提供することをさらに備える、Ｃ２に記載の方法。
［Ｃ４］
前記シード値は、支援データとともに前記ＵＥに提供され、前記支援データは、１つまたは複数の近隣基地局のリスト、および観測された到着時間差（ＯＴＤＯＡ）支援データを備える、Ｃ３に記載の方法。
［Ｃ５］
前記シード値は、前記ＢＳの物理セルＩＤ（ＰＣＩＤ）、システムフレーム番号、または日時のうちの少なくとも１つに基づく、Ｃ２に記載の方法。
［Ｃ６］
前記時間周波数リソースのセットは、１つまたは複数のＰＲＳサブフレームの少なくとも１つの直交周波数分割多重（ＯＦＤＭ）シンボル期間に、１つまたは複数の周波数トーンを備える、Ｃ１に記載の方法。
［Ｃ７］
前記少なくとも１つのパラメータは、ＰＲＳオフセットを備え、
周波数トーンは、各ＯＦＤＭシンボル期間における固定数の周波数トーンのストライドパターンと、前記ＰＲＳオフセットとに基づいて決定される、
Ｃ１に記載の方法。
［Ｃ８］
前記ＰＲＳオフセットの前記値は、前記ストライドパターンのサイズに対応する値のセットからランダムに選択される、Ｃ７に記載の方法。
［Ｃ９］
前記少なくとも１つのパラメータは、ビットのシーケンスを有するミュートパターンを備え、各ビットは、ＰＲＳが、対応するＰＲＳ機会において送られるか否かを示す、
Ｃ１に記載の方法。
［Ｃ１０］
前記ミュートパターンの長さは、前記ＢＳが、ＰＲＳを、ターゲット値のデューティサイクルで、一連のＰＲＳサブフレームによって送信するように選択される、Ｃ９に記載の方法。
［Ｃ１１］
ＰＲＳを送信するための前記時間周波数リソースのセットは、サブフレーム毎またはＰＲＳ機会毎に、異なる時間周波数リソースを備える、Ｃ１に記載の方法。
［Ｃ１２］
ユーザ機器（ＵＥ）によるワイヤレス通信のための方法であって、
基地局（ＢＳ）からの位置決め基準信号（ＰＲＳ）のための測定のために、時間周波数リソースのセットを決定するために使用される少なくとも１つのパラメータをランダムに選択することと、
前記時間周波数リソースのセットにおいて前記ＰＲＳを測定することと、
を備える、方法。
［Ｃ１３］
前記少なくとも１つのパラメータは、シード値を用いて初期化された乱数生成器によって生成された値を使用してランダムに選択される、Ｃ１２に記載の方法。
［Ｃ１４］
前記ＰＲＳを受信する前に、前記ＢＳから前記シード値を受信することをさらに備える、Ｃ１３に記載の方法。
［Ｃ１５］
前記シード値は、支援データとともに受信され、前記支援データは、１つまたは複数の近隣基地局のリスト、および観測された到着時間差（ＯＴＤＯＡ）支援データを備える、Ｃ１３に記載の方法。
［Ｃ１６］
前記シード値は、前記ＢＳの物理セルＩＤ（ＰＣＩＤ）、システムフレーム番号、または日時のうちの少なくとも１つに基づく、Ｃ１３に記載の方法。
［Ｃ１７］
前記時間周波数リソースのセットは、１つまたは複数のＰＲＳサブフレームの少なくとも１つの直交周波数分割多重（ＯＦＤＭ）シンボル期間に、１つまたは複数の周波数トーンを備える、Ｃ１２に記載の方法。
［Ｃ１８］
前記少なくとも１つのパラメータは、ＰＲＳオフセットを備え、
周波数トーンは、各ＯＦＤＭシンボル期間における固定数の周波数トーンのストライドパターンと、前記ＰＲＳオフセットとに基づいて決定される、
Ｃ１２に記載の方法。
［Ｃ１９］
前記ＰＲＳオフセットの前記値は、前記ストライドパターンのサイズに対応する値のセットからランダムに選択される、Ｃ１８に記載の方法。
［Ｃ２０］
前記少なくとも１つのパラメータは、ビットのシーケンスを有するミュートパターンを備え、各ビットは、ＰＲＳが、対応するＰＲＳ機会において送られるか否かを示す、
Ｃ１２に記載の方法。
［Ｃ２１］
１つまたは複数の他のＢＳからのＰＲＳから、前記測定されたＰＲＳの到着時間（ＴＯＡ）差を推定すること、
をさらに備える、Ｃ１２に記載の方法。
［Ｃ２２］
ＰＲＳを測定するための前記時間周波数リソースのセットは、サブフレーム毎またはＰＲＳ機会毎に、異なる時間周波数リソースを備える、Ｃ１２に記載の方法。
［Ｃ２３］
ワイヤレス通信のための装置であって、
位置決め基準信号（ＰＲＳ）を送信するための時間周波数リソースのセットを決定するために使用される少なくとも１つのパラメータをランダムに選択するための手段と、
前記少なくとも１つのパラメータに少なくとも基づいて、前記時間周波数リソースのセットを決定するための手段と、
前記決定された時間周波数リソースのセットにおいてＰＲＳを送信するための手段と、
を備える、装置。
［Ｃ２４］
前記少なくとも１つのパラメータは、シード値を用いて初期化された乱数生成器によって生成された値を使用してランダムに選択される、Ｃ２３に記載の装置。
［Ｃ２５］
前記少なくとも１のパラメータは、ＰＲＳオフセットを備え、
周波数トーンは、各ＯＦＤＭシンボル期間における固定数の周波数トーンのストライドパターンと、前記ＰＲＳオフセットとに基づいて決定される、
Ｃ２３に記載の装置。
［Ｃ２６］
前記少なくとも１つのパラメータは、ビットのシーケンスを有するミュートパターンを備え、各ビットは、ＰＲＳが、対応するＰＲＳ機会において送られるか否かを示す、
Ｃ２３に記載の装置。
［Ｃ２７］
ワイヤレス通信のための装置であって、
基地局（ＢＳ）からの位置決め基準信号（ＰＲＳ）のための測定のために、時間周波数リソースのセットを決定するために使用される少なくとも１つのパラメータをランダムに選択するための手段と、
前記時間周波数リソースのセットにおいてＰＲＳを測定するための手段と、
を備える、装置。
［Ｃ２８］
前記少なくとも１つのパラメータは、シード値を用いて初期化された乱数生成器によって生成された値を使用してランダムに選択される、Ｃ２７に記載の装置。
［Ｃ２９］
前記少なくとも１つのパラメータは、ＰＲＳオフセットを備え、
周波数トーンは、各ＯＦＤＭシンボル期間における固定数の周波数トーンのストライドパターンと、前記ＰＲＳオフセットとに基づいて決定される、
Ｃ２７に記載の装置。
［Ｃ３０］
前記少なくとも１つのパラメータは、ビットのシーケンスを有するミュートパターンを備え、各ビットは、ＰＲＳが、対応するＰＲＳ機会において送られるか否かを示す、
Ｃ２７に記載の装置。